(57)【要約】      （修正有）【課題】経済的であらゆるゴミ箱に適応することができ、ゴミ袋を確実にゴミ箱に係止することができるゴミ袋装着体、及びゴミ袋装着体の製造方法の提供。【解決手段】上部開口型ゴミ箱２に挿入されたゴミ袋３をゴミ箱に装着するゴミ袋装着体１であって、ゴミ箱の外周に折曲されたゴミ袋の開口部上部側をゴミ箱の外周に強制的に係止すべく弾性体でリング状に構成されている。ゴミ袋装着体は幅のある帯状、又は複数のリング体より形成されており、ゴミ箱の上部開口部分及び外周側面に渡って係止すべく形成されている。【選択図】図３
2005126232.tif 000002
【特許請求の範囲】
【請求項１】
上部、又は上部側側面に開口部を有するゴミ箱の開口部よりゴミ箱内部に挿入され、該ゴミ袋をゴミ箱に装着するためのゴミ袋装着体であって、該ゴミ袋装着体は、ゴミ箱の外周に折返されたゴミ袋の開口部上部側をゴミ箱の外周に強制的に係止すべくリング状の弾性体で構成されていることを特徴とするゴミ袋装着体。
【請求項２】
前記ゴミ袋装着体が、幅のある帯状、又は複数のリング体より形成されている請求項１記載のゴミ袋装着体。
【請求項３】
前記ゴミ袋装着体の一部に切断部が設けられ、且つ該切断部の両端側は相互に係止可能に構成され、又は別体の留め具を介して係止可能に構成されている請求項１又は２いずれかに記載のゴミ袋装着体。
【請求項４】
前記ゴミ袋装着体には、消臭剤、抗菌剤、又は芳香剤が直接、又は間接的に設けられている請求項１乃至３いずれかに記載のゴミ袋装着体。
【請求項５】
ゴム等の弾性体で構成され、又はゴム等の弾性体が一部に設けられ、且つ重複した長尺状の帯状体を、所望の長さで横方向より、連続して加熱切断することでゴミ袋装着体を連続して製造することを特徴とするゴミ袋装着体の製造方法。
【発明の詳細な説明】
【技術分野】
【０００１】本発明は、ゴミ袋をゴミ箱に取り付ける際に使用するゴミ袋装着体、及び該ゴミ袋装着体の製造方法に関する。
【背景技術】
【０００２】  従来より一般的な上部開放で筒状のゴミ箱には、ビニール製のゴミ袋を筒体内に装入することで、ゴミ箱の直接的な汚れの防止や、ゴミの廃棄の簡略化を図っている。【０００３】  ゴミ袋をゴミ箱に装入する際は、ゴミ袋の上部側開口部をゴミ箱の開口部より外側に折り返して取り付け、リング状の留め具をゴミ箱の開口部外周に係合することで、ゴミ袋が適切に装着され、ゴミが少ない場合、ゴミ箱の形状（底が深い場合、開口部が広い場合等）によりゴミ袋が適切に装入されない場合、又はゴミを大量にゴミ袋に入れた場合に、ゴミ袋がゴミ箱内に落ち込んで取り込まれてしまうのを防止していた（例えば、特許文献２参照）。【０００４】  また、図  のように一対のゴミ容器胴体部押え部２１、２１をゴムバンド２２、２２でつないでリング状に形成したゴミ容易用中袋止めバンド２３があります（例えば、特許文献１参照）。【０００５】  このゴミ容器用中袋止めバンドは、ゴミ袋をゴミ箱に装入した後、ゴミ箱の外周にゴミ容器用中袋止めバンドを装着し、ゴミ袋の開口部側上部をゴミ箱の外周に沿って折り返し、前記ゴミ袋の把持部をゴミ容器用中袋止めバンドに設けられた引っ掛け部に引っ掛けることでゴミ袋がゴミ箱より離脱しないように設けて使用するものであります。
【特許文献１】実開昭６４−４３００２号  公報
【特許文献２】実開平６−８７３０２号  公報
【発明の開示】
【発明が解決しようとする課題】
【０００６】しかしながら、上述のようなリング状の留め具は、使用に際してゴミ箱の美観等は保てるものの、ゴミ箱の開口部の大きさは大きさ、形状は一定でないために、それぞれに応じた相違する留め具を用意する必要がありコストがかかり経済的でない。【０００７】また、リング状の留め具を係止するためには、ゴミ箱の開口部に掛止突起が必要であり、筒状の簡易ゴミ箱には費用することができない。【０００８】さらに、ゴミ容器用中袋止めバンドの場合は、ゴミ袋の把持部を引っ掛けることでゴミ袋を係止するために、把持部のないゴミ袋の場合はゴミ袋を確実に係止することができない。また、小型のゴミ箱の場合は、買い物袋をゴミ袋として使用することができるが、大型のゴミ箱の場合は使用することができない。【０００９】また、ゴミ容器用中袋止めバンドは、一対のゴミ容器胴体部押え部をゴムバンドでつないでリング状に形成するために、その構成が煩雑であり、繋ぎ部分が破損しやすいという欠点があった。【００１０】そこで、本発明は、経済的であらゆるゴミ箱に適応することのでき、ゴミ袋を確実にゴミ箱に係止することのできるゴミ袋装着体、及び該ゴミ袋装着体の製造方法を提供することを目的とする。
【課題を解決するための手段】
【００１１】  そして、本発明は上記目的を達成するために上部、又は上部側側面に開口部を有するゴミ箱の開口部よりゴミ箱内部に挿入され、該ゴミ袋をゴミ箱に装着するためのゴミ袋装着体であって、該ゴミ袋装着体は、ゴミ箱の外周に折返されたゴミ袋の開口部上部側をゴミ箱の外周に強制的に係止すべくリング状の弾性体で構成されていることを特徴とする。【００１２】  また、第２の課題解決手段は、ゴミ袋装着体が、幅のある帯状、又は複数のリング体より形成されていることである。【００１３】  また、第３の課題解決手段は、ゴミ袋装着体の一部に切断部が設けられ、且つ該切断部の両端側は相互に係止可能に構成され、又は別体の留め具を介して係止可能に構成されていることである。【００１４】  また、第４の課題解決手段は、ゴミ袋装着体には、消臭剤、抗菌剤、又は芳香剤が直接、又は間接的に設けられていることである。【００１５】  また、第５の課題解決手段は、ゴム等の弾性体で構成され、又はゴム等の弾性体が一部に設けられ、且つ重複した長尺状の帯状体を、所望の長さで横方向より、連続して加熱切断することでゴミ袋装着体を連続して製造することを特徴とする。【００１６】  即ち、本発明における作用は、上部開口型ゴミ箱にゴミ袋を装入した後、該ゴミ袋の上部側をゴミ箱の外側に折り返し、ゴミ箱の外周に折曲されたゴミ袋の開口部上部側にゴミ袋装着体を設けることでゴミ袋をゴミ箱に強制的に係止する。【００１７】  この際、ゴミ袋装着体を幅のある帯状に形成することにより、又は複数のリング体で形成することにより、確実にゴミ袋をゴミ箱に取り付けることができる他、ゴミ袋の外周に折曲した部分を全て隠すことで美観の点でも優れた効果がある。【００１８】  さらに、ゴミ袋装着体の一部に切断部の設けられていることにより、ゴミ袋装着体をゴミ箱に装着し、該ゴミ袋装着体の切断部の両端側を係止、又は留め具で係止することでゴミ袋をゴミ箱の外周で拘持することができる。従って、野外等に設置してある大きな開口部を有するゴミ箱であっても、一人で容易にゴミ袋をゴミ箱に強制的に拘持することができる。【００１９】  また、ゴミ袋装着体に、消臭剤、抗菌剤、又は芳香剤が直接、又は間接的に設けることにより、例えば生ゴミ等の臭気を消臭したり、ゴミ箱の抗菌、又はゴミ箱を芳香剤としても使用することができる。【００２０】  上記ゴミ袋装着体を形成する場合は、ゴム等の弾性体で構成され、又はゴム等の弾性体が一部に設けられ、且つ重複した長尺状の帯状体を、所望の長さで横方向より、連続して加熱切断することでゴミ袋装着体を簡易に製造することができることとなる。【００２１】  以上のように、本発明のゴミ袋装着体はその構成が簡易であり、しかもあらゆる開口部を有するゴミ箱でも使用することができ、またあらゆる種類（形状）のゴミ袋であっても使用することができることとなる。
【発明の効果】
【００２２】  上述したように、本発明のゴミ袋装着体は、容易にゴミ箱に装着することができ、また、取り外すこともできる他、あらゆる大きさのゴミ箱に対応して取り付けることができるという利点を得た。【００２３】  また、その構成が簡易であり、コストの削減を行うことができる。【００２４】  さらに、ゴミ袋装着体が幅広に形成されているために、ゴミ袋の折り返された部分を被覆した状態でゴミ箱に係止できるので、ゴミ袋の係止が確実となる他、美観に対応することができることとなる。【００２５】  また、ゴミ袋装着体に、消臭剤、抗菌剤、又は芳香剤が直接、又は間接的に設けることにより、ゴミ箱よりの臭気を消臭したり、ゴミ箱自体の抗菌作用、又はゴミ箱を芳香剤としても使用することができる。
【発明の実施するための最良の形態】
【００２６】  以下、本発明のゴミ袋装着体の一実施例を図面に沿って説明する。
図１は、本発明のゴミ袋装着体の一実施例を示す概略説明斜視図であり、図２は本発明のゴミ袋装着体の他実施例を示す概略説明斜視図であり、図３は、図１のゴミ袋装着体をゴミ箱に装着した状態を示す概略説明斜視図であり、図４は、（イ）はゴミ袋装着体の他の実施例を示す概略説明平面図であり、（ロ）は図イの他の使用例を示す概略説明平面図である。
【００２７】  １はリング状に形成されたゴミ袋装着体で、ゴム等の弾性体で全体、又はその一部が構成されている。前記ゴミ袋装着体１の幅は、使用するゴミ箱２（円筒状、又は矩形筒状等）、又は場所（事務所、応接室等）により自在に変更することができる。即ち、ゴミ袋装着体１の幅を大きくすることにより、ゴミ箱２に装入されたゴミ袋３のゴミ箱２の外周に折曲された部分３ａを全て被覆することで美観を維持することができる。また、ゴミ袋装着体１の表面各種の装飾を施すことでゴミ箱２としての美観を維持することも可能である。
【００２８】  また、ゴミ袋装着体１の幅広に形成するとともに、その外周に収納部（図示せず）を設けることで、予備のゴミ袋３を収納することができる。
【００２９】  本発明のゴミ袋装着体１の構成は上記の構成に限定されるものでなく、ゴミ袋装着体１のリング状の一部に切断部分４を設け、該切断部分４の両側に係止用輪５等の係止手段を設けることで（例えば、カギ状の係止部を装着体の両端側に設け、該カギ状の係止部を相互に引っ掛けることで係止したり、又は一端側に設けられた小リング状の留め具に他端側のカギ状の係止部を係止する構成）、野外等に設置してある大きな開口部を有する大型のゴミ箱２の場合であっても、ゴミ袋３をゴミ箱２内に装入後、ゴミ箱２の外周にゴミ袋３を折り返してゴミ袋装着体１をその外周に回し、係止用輪５部分でリング状にして係止する。このように、一人の作業者で容易にゴミ袋をゴミ箱に拘持することができる。
【００３０】  この際、係止用輪５等の係止手段に別体の取付板６を取り付けることで、ゴミ袋装着体１をさらに容易にゴミ箱２に装着することが可能となる。
【００３１】  また、ゴミ袋装着体１に袋部分（図示せず）を設けて、消臭剤、抗菌剤、又は芳香剤を該袋部分に挿入（間接的に設ける）することにより、ゴミ箱２の消臭、抗菌、又は芳香用として使用することができる。この際、ゴミ袋装着体１の一部を消臭剤、抗菌剤、又は芳香剤の含有した繊維で被覆する（直接的に設ける）ことも可能である。
【００３２】  本発明のゴミ袋装着体１は以上の構成よりなり、次に、該ゴミ袋装着体１を使用する場合について説明する。
【００３３】  先ず、ゴミ箱２にゴミ袋３を装入し、該ゴミ袋３の開口上部側をゴミ箱２の外周側に折曲する。
【００３４】  この状態で、ゴミ袋装着体１をごみ箱２の外周に拘持することで、ゴミ袋３をゴミ箱２の外周に固定する。従って、ゴミをゴミ袋３に投入してもゴミによりゴミ袋３がゴミ箱２内に取り込まれることもなく、容易に使用することができる。
【００３５】  また、ゴミ袋装着体１がゴム等の弾性体で構成されているので、ゴミ箱２より取り外すのも容易であり、また、ゴミ箱２内のゴミを廃棄する際はゴミ袋装着体１でゴミ袋３の開口部を結ぶことで、ゴミの廃棄を容易にすることができることとなる。
【００３６】  そして、上記ゴミ袋装着体１を製造する場合は、ゴム等の弾性体で構成され、又はゴム等の弾性体が一部に設けられ、且つ重複した長尺状の帯状体を連続して搬送し、その後、該帯状体を所望の長さで横方向より、連続して加熱切断することで、所望の幅のゴミ袋装着体１を連続して製造することができる。
【００３７】  また、上記実施例のゴミ袋装着体１は幅の広いリング状等に形成したり、一部にリング状の一部に切断部分４を設けて形成したが、例えば、複数のリング体で幅の有るリング状に形成することも可能である。
【図面の簡単な説明】
【００３８】
【図１】は、本発明のゴミ袋装着体の一実施例を示す概略説明斜視図である。
【図２】は、本発明のゴミ袋装着体の他実施例を示す概略説明斜視図である。
【図３】は、図１のゴミ袋装着体をゴミ箱に装着した状態を示す概略説明斜視図である。
【図４】（イ）はゴミ袋装着体の他の実施例を示す概略説明平面図であり、（ロ）は図イの他の使用例を示す概略説明平面図である。
【図５】は、従来のゴミ袋装着体を示す概略斜視図である。
【符号の説明】
【００３９】  １．ゴミ袋装着体
【図１】
2005126232.tif 000003
【図２】
2005126232.tif 000004
【図３】
2005126232.tif 000005
【図４】
2005126232.tif 000006
【図５】
2005126232.tif 000007